(57)【要約】【課題】収容物の内容量を大雑把に又は直感的に把握可能な容器を提供する。【解決手段】容器１は、第１側部１１と第２側部１２を備えている。第１、第２側部１１，１２どうし間に収容室１ｃが画成されている。第２側部１２には、内容量色分け表示部２０が内面に現れるように設けられている。内容量色分け表示部２０は、上下に複数段の内容量域２１〜２４を有している。隣接する内容量域どうしの色が異なっている。【選択図】図１
2017006193.tif 000002
【特許請求の範囲】
【請求項１】
透視性の第１側部と、
前記第１側部との間に収容室を画成する第２側部と、
前記第２側部の内面に現れるように設けられた内容量色分け表示部と
を備え、前記内容量色分け表示部が、上下に複数段の内容量域を有し、隣接する内容量域どうしの色が異なっていることを特徴とする容器。
【請求項２】
すべての内容量域の色が、互いに異なっていることを特徴とする請求項１に記載の容器。
【請求項３】
各内容量域が、前記第２側部の幅方向に延びる帯状の色領域であることを特徴とする請求項１又は２に記載の容器。
【発明の詳細な説明】
【技術分野】
【０００１】
本発明は、容器に関し、特に収容物の内容量をおおまかに把握可能な容器に関する。
【背景技術】
【０００２】
例えば、病院等の医療現場では、吐瀉物等の汚物が出た場合、廃棄する前に計量することが求められることがある。そのために、この種の汚物処理袋（容器）には、計量用の目盛が付されている。
【先行技術文献】
【特許文献】
【０００３】
【特許文献１】実用新案登録第３１６６２６５号公報
【発明の概要】
【発明が解決しようとする課題】
【０００４】
一方、この種の汚物を厳密に計量することが必要になることは稀であり、通常はおおまかな量が分かればよい。しかし、目盛で計量する容器では、大雑把でよくても一応、目盛を読む必要があり、煩雑であった。
本発明は、このような事情に鑑み、収容物の内容量をおおまかに把握するのに適した容器を提供することにある。
【課題を解決するための手段】
【０００５】
前記問題点を解決するために、本発明に係る容器は、
透視性の第１側部と、
前記第１側部との間に収容室を画成する第２側部と、
前記第２側部の内面に現れるように設けられた内容量色分け表示部と
を備え、前記内容量色分け表示部が、上下に複数段の内容量域を有し、隣接する内容量域どうしの色が異なっていることを特徴とする。
【０００６】
この容器によれば、透視性の第１側部を通して、収容室内の収容物を視認でき、更には、収容物の上方に現れた内容量色分け表示部を視認できる。この内容量色分け表示部のうち、収容物の上面の直上に現れた内容量域の色を確認する。この色から収容物の内容量をおおまかに把握することができる。目盛を読む必要が無く、色を判別するだけでよいから、一見して又は直感的に収容物の量を確認することができる。したがって、内容量確認作業の煩雑さを緩和することができる。
【０００７】
すべての内容量域の色が、互いに異なっていることが好ましい。これによって、各内容領域の色から内容量を一層確実に把握することができる。
【０００８】
各内容量域が、前記第２側部の幅方向に延びる帯状の色領域であることが好ましい。これによって、各内容量域を見やすくできる。
【発明の効果】
【０００９】
本発明の容器によれば、収容物より上に現れた内容量色分け表示部の色から収容物の内容量をおおまかに又は直感的に把握することができる。
【図面の簡単な説明】
【００１０】
【図１】図１は、本発明の一実施形態に係る容器の斜視図である。
【図２】図２は、前記容器の第２側部を第１側部の側から見た正面図である。
【図３】図３（ａ）及び（ｂ）は、前記容器に収容物を入れた状態の斜視図である。
【発明を実施するための形態】
【００１１】
以下、本発明の一実施形態を図面にしたがって説明する。
図１に示すように、容器１は、２つの側部１１，１２からなる三方袋（平袋）にて構成されている。第１、第２側部１１，１２は、それぞれ四角形の樹脂シートにて構成されている。第１、第２側部１１，１２の材質は、例えばポリエチレン（ＰＥ）やポリプロピレン（ＰＰ）等であるが、これに限られるものではない。
【００１２】
第１、第２側部１１，１２の左右両縁及び下縁は、それぞれヒートシールにて封止され、側縁封止部１ｄ及び底縁封止部１ｅを構成している。第１、第２側部１１，１２どうしの間に収容室１ｃが画成されている。
【００１３】
第１側部１１は、透明であり、透視性を有している。したがって、外部から第１側部１１を通して、容器１の内部や第２側部１２を視認することできる。なお、第１側部１１は、透視性があればよく、半透明であってもよく、すりガラス状であってもよい。
【００１４】
図１及び図２に示すように、第２側部１２の内面には、内容量色分け表示部２０が設けられている。要するに、内容量色分け表示部２０は、第２側部１２の内面に現れており、透視性の第１側部１１を通して外部から見ることができる。好ましくは、内容量色分け表示部２０は、第２側部１２における収容室１ｃを画成する部分１２ｃのほぼ全域に設けられている。第２側部１２における封止部１ｄ，１ｅを画成する部分には、内容量色分け表示部２０が設けられていない。
【００１５】
内容量色分け表示部２０は、上下に複数段（図では４段）の内容量域２１〜２４を有している。第２側部１２の収容室画成部分１２ｃが、複数（４つ）の内容量域２１〜２４によって上下に区画されている。各内容量域２１〜２４は、第２側部１２の幅方向（図２において左右）に延びる帯状ないしは横長の長方形状になっている。好ましくは、各内容量域２１〜２４は、第２側部１２の収容室画成部分１２ｃの幅方向のほぼ全域にわたって延びている。内容量域２１〜２４の両端部は、側縁封止部１ｄに達するか、側縁封止部１ｄの近くに位置している。隣接する内容量域２１〜２４どうしの境は、第２側部１２の幅方向に沿う直線状になっている。
【００１６】
各内容量域２１〜２４は、所定の一色に着色されている。これによって、各内容量域２１〜２４が帯状の色領域になっている。上下に隣接する内容量域２１〜２４どうしの色が、互いに異なっている。好ましくは、すべての内容量域２１〜２４の色が、互いに異なっている。着色方法としては、グラビア印刷、オフセット印刷、塗料吹付等の公知の方法を適用できる。
【００１７】
複数段の内容量域２１〜２４どうしが互いに規則的に色分けされていてもよく、不規則に色分けされていてもよい。規則的な色分けとして、より上の段又は下の段の内容量域になるにしたがって、色相が例えば赤、黄、緑、青の順にシフトしたり、明度が濃くなったり薄くなったりしていてもよい。不規則な色分けとして、例えば隣接する内容量域どうしの色相が赤と青等のように大きく異なっていてもよい。
複数の内容量域２１〜２４のうちの一部が、白色や黒色や灰色であってもよい。
隣の内容量域との色の違いが判別可能であれば、複数の内容量域２１〜２４のうちの一部が無着色又は透明又は半透明であってもよい。
【００１８】
内容量域２１〜２４の色は、収容物の色とは別系統であることが好ましい。例えば、収容物が赤系統や黄系統であれば、内容量域２１〜２４の色は、青系統や緑系統であることが好ましい。
【００１９】
各内容量域２１〜２４は、収容物の内容量の目安を示している。上の段の内容量域２２〜２４であるほど、対応する内容量が大きい。
たとえば、この実施形態の容器１においては、最下段内容量域２１は、大雑把に４０ｍｌ以下を示している。中下段内容量域２２は、大雑把に４０ｍｌ〜８０ｍｌを示している。中上段内容量域２３は、大雑把に８０ｍｌ〜１２０ｍｌを示している。最上段内容量域２４は、大雑把に１２０ｍｌ以上を示している。なお、前記数値はあくまでも例示であって、本発明が前記数値に限定されるものではない。
【００２０】
図３に示すように、容器１は、例えば病院等において吐瀉物、その他の汚物２（収容物）を入れるのに用いられる。汚物２が入った容器１を看護師等が廃棄する際は、汚物２の量を記録しておくことが求められる場合がある。一方、容器１の第１側部１１が透視性であるため、外部から第１側部１１を通して収容室１ｃ内の汚物２を見ることができ、更には、汚物２の上方に現れた内容量色分け表示部２０を見ることができる。この内容量色分け表示部２０のうち、汚物２の上面が位置する内容量域２１〜２４の色を確認する。この色から汚物２の内容量をおおまかに把握することができる。具体的に、図３（ａ）に示すように、本実施形態の容器１において、汚物２の上面の直上に現れた色が中下段内容量域２２の色であるときは、汚物２の内容量はおおまかに４０ｍｌ〜８０ｍｌである。図３（ｂ）に示すように、汚物２の上面の直上に現れた色が中上段内容量域２３の色であるときは、汚物２の内容量はおおまかに８０ｍｌ〜１２０ｍｌである。通常、汚物２の量は、この程度の大雑把な把握をしておけば十分である。
【００２１】
色と内容量との対応表を用意しておくか、対応関係を覚えておき、色から内容量を割り出してそれを記録してもよい。色そのものを書き留めておいてもよく、その場合、後日必要時に色と内容量との対応表を用いて汚物２の量を割り出すことができる。
目盛を読むのではなく、色を判別するだけでよいから、一見して、すばやく直感的に汚物２の量を確認することができる。したがって、汚物量確認作業の煩雑さを緩和することができる。
【００２２】
本発明は、前記実施形態に限られず、その趣旨を逸脱しない範囲内で種々の改変をなすことができる。
例えば、内容量域２１〜２４の数は、４つに限られず、２つ又は３つでもよく、５つ以上であってもよい。
内容量色分け表示部２０は、第２側部１２の内面に現れるようになっていれば、必ずしも第２側部１２の内面に設けられている必要はない。第２側部１２を透明ないしは透視性の材質で構成し、その外面に内容量色分け表示部２０を着色することにしてもよい。
少なくとも隣接する２つの内容量域どうしの色が互いに異なっていればよく、離れた内容量域どうしの色が同じであってもよい。たとえば、最下段内容量域２１と最上段内容量域２４の色が同じであってもよい。
内容量色分け表示部２０は、第２側部１２の収容室画成部分１２ｃの必ずしも幅方向（左右方向）の全域に設けられている必要はなく、第２側部１２の収容室画成部分１２ｃの幅方向の中央部や左右側部だけに設けられていてもよい。
容器１の各内容量域２１〜２４の隅などに、その内容量域２１〜２４に対応する内容量を印字してもよい。
容器１は、医療現場における汚物を収容するものに限られず、大雑把な内容量を知りたい種々の物を収容するのに適用可能である。
容器１は、三方袋に限られず、二方袋でもよい。平袋に限られず、スタンディングパウチやガゼット袋であってもよい。容器１が、コップ状等の硬質樹脂製の成型容器であってもよく、円筒状であってもよく、角柱状であってもよい。例えば、円筒状容器の場合、その半円部分を透視性の第１側部１１とし、残りの半円部分に内容量色分け表示部２０を設けて第２側部１２としてもよい。角柱状容器の場合、１つの側壁部を透視性の第１側部１１とし、その反対側の側壁部に内容量色分け表示部２０を設けて第２側部１２としてもよい。
【産業上の利用可能性】
【００２３】
本発明は、例えば、病院や介護現場において、廃棄すべき汚物を収容する袋等の容器に適用できる。
【符号の説明】
【００２４】
１          容器
１ｃ        収容室
２          汚物（収容物）
１１        第１側部
１２        第２側部
２０        内容量色分け表示部
２１〜２４  内容量域
【図１】
2017006193.tif 000003
【図２】
2017006193.tif 000004
【図３】
2017006193.tif 000005